(57)【要約】【課題】  フイルムキャリアの搬送路のメンテナンスを容易に行う。【解決手段】  フイルムガイド３５には、１３５フイルム３２の搬送をガイドする第１ガイド部４５と、ＡＰＳフイルム３８の搬送をガイドする第２ガイド部４６とが形成される。第２ガイド部４６は、第１ガイド部４５の内側で１段凹んだ位置に形成されている。１３５フイルム３２及びＡＰＳフイルム３８の側端部は、第１，第２カバー部材５０，５１によってそれぞれ覆われる。第１、第２カバー部材５０，５１を取り外してフイルムガイド３５の内部を露呈することで、フイルムガイド３５の内部に詰まった写真フイルムを取り出したり、フイルムガイド３５の内部をクリーニングすることができる。【選択図】        図４
2005115001.tif 000002
【特許請求の範囲】
【請求項１】
写真フイルムに記録された画像を読取位置に搬送するフイルムキャリアにおいて、
第１写真フイルムの幅方向の両端を支持する第１支持部と、前記第１写真フイルムより幅の小さい第２写真フイルムの幅方向の両端を支持する第２支持部とが設けられたフイルム支持部材を備え、前記第２支持部は前記第１支持部の内側かつ窪んだ位置に形成されていることを特徴とするフイルムキャリア。
【請求項２】
前記第１支持部と前記第２支持部との段差が、前記第２写真フイルムの厚さの５倍以上であることを特徴とする、請求項１記載のフイルムキャリア。
【請求項３】
前記第１写真フイルムの両側端に接触する第１搬送ローラと、
前記第２写真フイルムの両側端に接触する第２搬送ローラと、
前記第１写真フイルムの搬送経路に入り込んで前記第２写真フイルムと接触する位置と、前記第１写真フイルムの搬送経路から退避して前記第２写真フイルムの挟持を解除する位置との間で前記第２搬送ローラを移動する移動機構と、を備えたことを特徴とする請求項１又は２記載のフイルムキャリア。
【請求項４】
前記第１搬送ローラとの間で前記第１写真フイルムの両側端を挟持するとともに、前記第２写真フイルムの搬送をガイドする段差が形成された第３搬送ローラを備えたことを特徴とする、請求項３記載のフイルムキャリア。
【請求項５】
前記第１写真フイルム及び前記第２写真フイルムを検出する第１のセンサと、前記第２写真フイルムのみを検出する第２のセンサを備えたことを特徴とする、請求項１〜４のいずれか１項に記載のフイルムキャリア。
【請求項６】
前記第２写真フイルム内の磁気記録領域に記録された撮影情報を読み取るための磁気読取素子を備え、前記磁気読取素子は、前記第１写真フイルムの搬送経路から退避する位置と、前記第１写真フイルムの搬送経路内に入り込み、前記撮影情報を読み取る位置との間で移動可能であることを特徴とする、請求項１〜５のいずれか１項に記載のフイルムキャリア。
【請求項７】
請求項１〜６のいずれか１項に記載のフイルムキャリアと、前記フイルムキャリアにセットされた前記第１写真フイルム又は前記第２写真フイルムに記録された画像コマに対して読取光を照射する光源部と、前記画像の光学像を撮像して画像データを生成する撮像手段と、前記光学像を前記撮像手段に結像させる結像レンズと、を備えたことを特徴とする画像読取装置。
【請求項８】
前記読取光の光軸に沿って前記撮像手段及び前記結像レンズとをサーチ範囲内で移動して前記結像レンズの焦点位置あわせを行う合焦手段を備え、
前記フイルムキャリアにセットされる写真フイルムの種別に応じて、前記サーチ範囲を変えることを特徴とする、請求項７記載の画像読取装置。
【発明の詳細な説明】
【技術分野】
【０００１】
本発明は、写真フイルムに記録された画像を読取位置へと搬送するフイルムキャリア、及び、このフイルムキャリアを用いて画像の読み取りを行う画像読取装置に関する。
【背景技術】
【０００２】
【特許文献１】特開平１０−３１２０３２号公報
【特許文献２】特開平１１−１４２９８３号公報
【０００３】
写真フイルムに記録された画像を光電的に読み取ってデジタルの画像データを生成し、この画像データに基づいて強度変調された記録光で感光性記録紙に画像を露光し、現像・乾燥処理を行ってプリント写真を生成するデジタルプリントシステムが広く普及している。このデジタルプリントシステムでは、読み取りで得られた画像に対して、カラーバランス補正やシャープネス補正等の画像処理を行うことで、画質を向上することができるという利点がある。
【０００４】
写真フイルムはフイルムキャリアにセットされ、ローラ等の搬送手段によって読取位置へと送られる。写真フイルムとして１３５タイプとＡＰＳ（ＩＸ２４０）タイプのものが広く用いられているため、フイルムキャリアは両タイプの写真フイルムを装填可能とすることが好ましい。このため、例えば、１３５タイプ用の搬送路とＡＰＳタイプ用の搬送路を、読取光の光軸に沿って並べるとともに、読取位置において共通の搬送路としたフイルムキャリアが開発されている（特許文献１、特許文献２参照）。
【発明の開示】
【発明が解決しようとする課題】
【０００５】
上記特許文献に記載のフイルムキャリアでは、１３５タイプ用搬送路とＡＰＳタイプ用搬送路は各々独立している。このため、フイルムの搬送詰まりを解除したり、搬送路をクリーニングする場合には、いずれか一方の搬送路及び搬送手段を取り外して作業を行う必要があり、非常に手間のかかるものとなっていた。さらに、共通の搬送路部分に搬送ローラを配置してフイルム搬送を行う場合には、ＡＰＳタイプの写真フイルムを搬送できるように搬送ローラの幅を定める必要があるが、幅の広い１３５タイプの写真フイルムを搬送する際に搬送ローラが画像コマ部分に接触するため、フイルム画像に傷が付いてしまうという問題がある。
【０００６】
本発明は上記事情に鑑みなされたものであり、構成が簡単であり、搬送路のメンテナンスが容易になるとともに、写真フイルムの画像コマ部分に傷をつけることのないフイルムキャリアと、このフイルムキャリアを用いて写真フイルムに記録された画像を読み取る画像読取装置を提供することを目的とする。
【課題を解決するための手段】
【０００７】
上記目的を達成するために、本発明のフイルムキャリアは、第１写真フイルムの幅方向の両端を支持する第１支持部と、第１写真フイルムより幅の小さい第２写真フイルムの幅方向の両端を支持する第２支持部とが設けられたフイルム支持部材を備え、第１支持部の内側かつ窪んだ位置に第２支持部を形成したことを特徴とする。第１支持部と第２支持部との段差が、第２写真フイルムの厚さの５倍以上であることが好ましい。
【０００８】
また、第１写真フイルムの両側端に摺接する第１搬送ローラと、第２写真フイルムの両側端に摺接する第２搬送ローラと、第１写真フイルムの搬送経路に入り込んで第２写真フイルムと摺接する位置と、第１写真フイルムの搬送経路から退避して第２写真フイルムの挟持を解除する位置との間で第２搬送ローラを移動する移動機構と備えても良い。さらに、第１搬送ローラとの間で第１写真フイルムの両側端を挟持するとともに、第２写真フイルムの搬送をガイドする段差が形成された第３搬送ローラを備えても良い。
【０００９】
第１写真フイルム及び第２写真フイルムを検出する第１のセンサと、第２写真フイルムのみを検出する第２のセンサを備えることが好ましい。また、第２写真フイルム内の磁気記録領域に記録された撮影情報を読み取るための磁気読取素子を、第１写真フイルムの搬送経路から退避する位置と、第１写真フイルムの搬送経路内に入り込んで撮影情報を読み取る位置との間で移動可能とすることが好ましい。
【００１０】
本発明の画像読取装置は、上記フイルムキャリアと、このフイルムキャリアにセットされた第１写真フイルム又は第２写真フイルムに記録された画像コマに対して読取光を照射する光源部と、フイルム画像の光学像を撮像して画像データを生成する撮像手段と、光学像を撮像手段に結像させる結像レンズと、を備えたことを特徴とする。また、結像レンズのフォーカスサーチ範囲を、写真フイルムの種別に応じて変えても良い。
【発明の効果】
【００１１】
本発明によれば、第１写真フイルムの幅方向の両端を支持する第１支持部の内側かつ窪んだ位置に、第２写真フイルムの幅方向の両端を支持する第２支持部を形成したので、簡単な構成で複数種類の写真フイルムを搬送可能なフイルムキャリアを実現するとともに、、搬送路のメンテナンスを容易に行うことができる。
【００１２】
また、第１写真フイルムの両側端に接触する第１搬送ローラと、第２写真フイルムの両側端に接触する第２搬送ローラと、第１写真フイルムの搬送経路に入り込んで第２写真フイルムと接触する位置と、第１写真フイルムの搬送経路から退避して第２写真フイルムの挟持を解除する位置との間で第２搬送ローラを移動する移動機構と備えたから、幅の異なる２種類の写真フイルムを搬送する際に、一方の写真フイルムに傷が付くのを防止することができる。さらに、第１搬送ローラとの間で第１写真フイルムの両側端を挟持するとともに、第２写真フイルムの搬送をガイドする段差が形成された第３搬送ローラを備えたから、写真フイルムの搬送機構をコンパクトに構成することができる。
【００１３】
本発明の画像読取装置によれば、上記フイルムキャリアと、このフイルムキャリアにセットされた第１写真フイルム又は第２写真フイルムに記録された画像コマに対して読取光を照射する光源部と、フイルム画像の光学像を撮像して画像データを生成する撮像手段と、光学像を撮像手段に結像させる結像レンズとを備え、結像レンズのフォーカスサーチ範囲を、写真フイルムの種別に応じて変えるようにしたから、フォーカシングに要する時間を短縮することができる。
【発明を実施するための最良の形態】
【００１４】
デジタルプリントシステムは、写真フイルムに記録された画像を光電的に読み取って画像データを生成する画像読取装置と、レーザプリンタ及びプロセサを備えるプリンタプロセサとから構成される。図１、図２に示すように、画像読取装置１０は、写真フイルム１１を支持搬送するフイルムキャリア１２と、写真フイルム１１に読取光を照射する光源部１３と、写真フイルム１１の画像コマ１１ａを通過した読取光を検出する読取部１５とから構成される。
【００１５】
光源部１３には、ハロゲンランプやメタルハライドランプ等からなるランプ１６が備えられ、ＩＲカットフィルタ１７、絞り板１８、光拡散ボックス１９が、光軸Ｌに沿って順に配置されている。ランプ１６の周囲にはリフレクタ１６ａが設けられ、ランプ１６で発せられた読取光を写真フイルム１１へ向けて反射する。なお、ランプ１６の代わりにＬＥＤ等の発光素子を用いることもできる。ランプ１６からの読取光は絞り板１８においてその光量が調節され、さらに光拡散ボックス１９によって均一な読取光として写真フイルム１１の画像コマ１１ａに照射される。
【００１６】
読取部１５は、レンズ鏡筒２０と、このレンズ鏡筒２０の奥に配置されるＣＣＤイメージセンサ２１と、これらを固定する支持プレート２２とから構成される。ＣＣＤイメージセンサ２１は、二次元状に並べられたＲ，Ｇ，Ｂ用受光素子を有しており、写真フイルム１１を通過した読取光を光電変換して画像信号を生成する。この画像信号は画像処理回路２３へ送られ、種々の信号処理及びＡ／Ｄ変換が施され、画像データとしてプリンタプロセサに出力される。
【００１７】
レンズ鏡筒２０は、支持板２１に固定された固定筒２５と、固定筒２５の内部に回動自在に配される回転筒２６と、複数枚のレンズを備え光軸Ｌに沿って移動自在に配されたレンズユニット２７、暗電流補正等に用いられるレンズシャッタ、光量調整用の絞り板等から構成される。レンズユニット２７は、写真フイルム１１を通過した読取光をＣＣＤイメージセンサ２１に結像するための結像光学系として用いられる。また、レンズユニット２７に立設されたカムピン２８は、固定筒２５に形成された直線状のカム溝と、回転筒２６に形成された螺旋状のカム溝とに係合する。回転筒２６とギヤ接続された変倍モータ２９の駆動により回転筒２６が回転すると、カム溝とカムピン２８との係合により、レンズユニット２７が光軸Ｌと平行な方向に移動する。これにより、フイルム画像の読み取り倍率が変化する。
【００１８】
支持プレート２２は、光軸Ｌに沿って延びたガイドロッド３０に螺合している。支持プレート２２は図示しないガイド機構によって回動不能にされており、且つ、ガイドロッド３０の軸方向に移動自在とされている。ガイドロッド３０とギヤ接続されたフォーカスモータ３１からの駆動力を受けてガイドロッド３０が回転すると、支持プレート２２が光軸Ｌと平行な方向に移動し、写真フイルム１１とＣＣＤイメージセンサ２１との距離（共役長）が変化する。これにより、レンズユニット２７の焦点位置合わせが行われる。
【００１９】
図２に示すように、写真フイルムを搬送するフイルムキャリア１２は、１３５タイプの写真フイルム（１３５フイルム）３２と、ＩＸ２４０タイプの写真フイルム（ＡＰＳフイルム）３８のいずれかをセット可能とされている。１３５フイルム３２、ＡＰＳフイルム３８は、それぞれ、接合部においてコの字型に折り曲げられたスプライステープ（図示せず）に挟み込まれた状態で複数シートが接合されており、フイルム支持部材３５に沿って図中矢線方向に搬送される。
【００２０】
１３５フイルム３２、又はＡＰＳフイルム３８は、フイルムキャリア１２の内部に配置された複数の搬送ローラ対に挟持され、１コマずつ間欠送りされる。そして、フイルムキャリア１２に形成された読取枠３９を通して露呈された画像コマに読取光を照射し、読取枠３９を通過した読取光をＣＣＤイメージセンサ２１で検出することで、フイルム画像が光電的に読み取られる。また、フイルムキャリア１２には、セットされた写真フイルムの種別（１３５フイルム３２又はＡＰＳフイルム３８）を表示する表示部４０が設けられている。
【００２１】
図３において、フイルムキャリア１２は、１３５フイルム３２及びＡＰＳフイルム３８を支持するフイルム支持部材３５と、１３５フイルム３２を狭持搬送するための第１搬送ローラ対４１，ＡＰＳフイルム３８を狭持搬送するための第２搬送ローラ対４２とを備えている。フイルム支持部材３５は、１３５フイルム３２をガイドする第１支持部４５と、この第１ガイド４５の内側でＡＰＳフイルム３８をガイドする第２支持部４６とが形成されている。なお、第２支持部４６は第１支持部４６に対して１段凹んだ部分に形成されており、１３５フイルム３２及びＡＰＳフイルム３８の幅に応じた２つの搬送路が、光軸Ｌの方向に並べられる。
【００２２】
第１，第２支持部４５，４６には、それぞれ、写真フイルムの通過を検出するための第１、第２フイルムセンサ４７，４８が配置されている。幅の長い１３５フイルム３２が搬送されると、第１，第２フイルムセンサ４７，４８がオン状態となる。一方、幅の短いＡＰＳフイルム３８が搬送されると、第２フイルムセンサ４８のみがオン状態となる。これにより、搬送されるフイルムの種別を検出することができる。
【００２３】
第２支持部４６の上には、ＡＰＳフイルム３８に磁気記録された撮影情報を読み取るための磁気読取素子４９が配置されている。この磁気読取素子４９は光軸Ｌに平行な方向に移動可能とされており、１３５フイルム３２の搬送時では図中上方向に移動して、１３５フイルム３２の搬送経路から退避する。
【００２４】
図４に示すように、フイルム支持部材３５の上には第１カバー部材５０と第２カバー部材５１とが配置され、それぞれ、１３５フイルム３２とＡＰＳフイルム３８の側端を覆うことで、写真フイルムの光軸方向のばたつきを防止する。第２カバー部材５１は、第１カバー部材５０の内側で図中上下（光軸Ｌに平行な方向）にスライド自在に配されており、圧縮ばね５２の付勢によってＡＰＳフイルム３８の側端を覆う位置（図４（Ｂ）参照）に保持されている。また、第１カバー部材５０の下面と第２カバー部材５１の上面には、ソレノイドと磁石からなる磁気吸引手段５３が設けられている。１３５フイルム３２が搬送されるときは、磁気吸引手段５３が作動して第２カバー部材５１が図中上方向へ移動し、１３５フイルム３２の搬送経路から退避する（図４（Ａ）参照）。また、磁気読取素子４９は第２カバー部材５１の内部に埋め込まれており、第２カバー部材５１の移動に伴い、磁気読取素子４９も１３５フイルム３２の搬送経路から退避する。
【００２５】
なお、ＡＰＳフイルム３８の接合部では、スプライステープ２枚分だけフイルム厚みが大きくなるため、ＡＰＳフイルム３８のコシが強くなってしまう。したがって、スプライステープにて接合されたＡＰＳフイルム３８を安定して搬送するために、第１支持部４５と第２支持部４６との段差Ｈ１は、ＡＰＳフイルム３８の厚さの５倍以上とすることが好ましい。
【００２６】
図３において、第１搬送ローラ対４１は、搬送ローラ５５とニップローラ５６とから構成され、図示しないモータからの駆動を受けて回転し、１３５フイルム３２を狭持搬送する。図５に示すように、搬送ローラ５５は、同心状の第１挟持部５５ａと第２挟持部５５ｂとが一体に設けられた１対の弾性ローラ部材が、回転軸の両端に取り付けられた段付きローラとされており、図５（Ａ）に示すように、１３５フイルム３２を搬送する際は、ニップローラ５６の両端に取り付けられた弾性ローラ部材５６ａと第１挟持部５５ａとの間で、１３５フイルム３２を挟持する。
【００２７】
第２搬送ローラ対４２は、搬送ローラ５５とニップローラ５７とから構成され、図示しないモータからの駆動を受けて回転し、ＡＰＳフイルム３８を狭持搬送する。図５（Ｂ）に示すように、第２搬送ローラ対４２の搬送ローラ５５は、第１搬送ローラ対４１と同じものが用いられ、ニップローラ５７の両端に取り付けられた弾性ローラ部材５７ａと第２挟持部５５ｂとの間で、ＡＰＳフイルム３８を挟持する。なお、本実施形態では、第２搬送ローラ対４２のニップローラ５７は、第２ガイド４６に組み込まれており、第２支持部４６の移動に伴いニップローラ５７が１３５フイルム３２の搬送経路から退避する。
【００２８】
図６に示すように、写真フイルムに記録された画像を読み取る前に、レンズ鏡筒２０を光軸Ｌに沿って移動させることで、レンズユニット２７の合焦位置あわせを行っている。ここで、１３５フイルム３２とＡＰＳフイルム３８との光軸Ｌでの位置が異なるため、フォーカス時のレンズ鏡筒２０の光軸Ｌでの位置が異なる。このため、図７に示すように、写真フイルムの種別に応じて予め定められた基準合焦位置へとレンズ鏡筒２０を移動し、この基準合焦位置を中心とした一定範囲をサーチ範囲として定める。すなわち、１３５フイルム３２がセットされたときのサーチ範囲と、ＡＰＳフイルム３８がセットされたときのサーチ範囲とが異なるように、予め定められている。
【００２９】
上記構成による作用について説明する。フイルムスキャナ１２にセットされた１３５フイルム３２は、第１搬送ローラ対４１に挟持されて第１ガイド４５の上を移動する。このとき、第１、第２フイルムセンサ４７，４８の両方がオン状態となるから、１３５フイルム３２がフイルムスキャナ１２にセットされたことを検出することができる。このとき、表示部４０には、１３５側のランプが点灯する。
【００３０】
また、１３５フイルム３２がセットされると、フォーカスモータ３１が駆動して、レンズ鏡筒２０を予め定められた基準合焦位置へ移動し、所定のサーチ範囲内で合焦位置を検出する。これにより、読取準備が完了する。
【００３１】
１３５フイルム３２は、その両側端が第１ガイド４５と第１カバー部材５０との間に挟まれた状態で、第１搬送ローラ対４１によって挟持搬送される。このとき、吸引手段５３が作動して、第２カバー部材５１が１３５フイルム３２の搬送経路から退避しているから、第２搬送ローラ対４２，磁気読取素子４９及び第２カバー部材５１が１３５フイルム３２の搬送を妨げることはない。
【００３２】
１３５フイルム３２に記録された画像コマが読取位置に達すると、光源部１３から読取光が照射される。画像コマを通過した読取光は、適正にフォーカスされたレンズユニット２７によってＣＣＤイメージセンサ２１に結像され、画像信号に光電変換される。この画像信号は画像処理回路２３に送られ、種々の信号処理が施された後、１コマ分の画像データとしてプリンタプロセサへと出力される。
【００３３】
一方、フイルムスキャナ１２にＡＰＳフイルム３８がセットされると、第２フイルムセンサ４８のみがオン状態となる。これにより、ＡＰＳフイルム３８がセットされたことが検出され、表示部４０にＡＰＳ側のランプが点灯する。また、フォーカスモータ３１が駆動して、ＡＰＳフイルム３８の位置に応じて定められたサーチ範囲内で合焦位置を検出する。フイルム種別に応じてサーチ範囲が定められているため、フォーカシングに要する時間を短縮することができる。
【００３４】
ＡＰＳフイルム３８は、その両側端が第２ガイド４６と第２カバー部材５１との間に挟まれた状態で、第２搬送ローラ対４２によって挟持搬送される。このとき、吸引手段５３は作動しないため、第２搬送ローラ対４２，磁気読取素子４９及び第２カバー部材５１が１３５フイルム３２の搬送路内に突出して、ＡＰＳフイルム３８の搬送をガイドする。ＡＰＳフイルム３８の画像コマが読取位置に達すると、光源部１３及びＣＣＤイメージセンサ２１が作動して、画像コマの読取が行われる。読み取られた画像コマは画像処理回路２３においてデジタルの画像データに変換され、プリンタプロセサへと出力される。
【００３５】
写真フイルムが搬送路に詰まったり、搬送路をクリーニングする場合には、オペレータは第１カバー部材５１を取り外す。これにより、フイルム支持部材３５の内部が露呈されるので、フイルムジャム解除作業やクリーニング作業を容易に行うことができる。
【００３６】
上記実施形態では、スプライステープで接合されたＡＰＳフイルム３８を搬送しているが、ＡＰＳフイルム３８をスプールに巻き付けて収納したカートリッジをフイルムキャリアに装填可能とし、図示しない駆動手段を介してＡＰＳフイルム３８をカートリッジから搬送路へ送るようにしても良い。この場合は、カートリッジが装填された時点でＡＰＳフイルム３８のセットを検出できるため、第２フイルムセンサ４８が不要となる。
【００３７】
上記実施形態では、第２搬送ローラ対４２のニップローラ５７を、第２ガイド４６とともに移動するようにしているが、図８の例に示すように、第１搬送ローラ対４１のニップローラ５６と連動させても良い。この例では、ニップローラ５６，５７の中心軸が支持軸６０を中心として回動自在の連結プレート６１に固定されており、連結プレート６１の回動に応じてニップローラ５６，５７が移動する。連結プレート６１の第２搬送ローラ対４２側の端部には伸張バネ６２が取り付けられており、１３５フイルム３２の搬送路から退避する向きに第２搬送ローラ対４２のニップローラ５７を付勢する。また、連結プレート６１の第１搬送ローラ対４１側の端部には磁石６３が取り付けられ、その上部に配されたソレノイド６５が作動したときに吸引力を発生させる。
【００３８】
図８（Ａ）に示すように、１３５フイルム３２の搬送時にはソレノイド６５が作動せず、伸張バネ６２の付勢により第１搬送ローラ対４１側のニップローラ５６が搬送ローラ５５と当接する。一方、図８（Ｂ）に示すように、ＡＰＳフイルム３８の搬送時にはソレノイド６５が作動して、伸張バネ６２の付勢に抗して第２搬送ローラ対４２側のニップローラ５７が搬送ローラ５５と当接する。これにより、搬送すべき写真フイルムの種別に応じて、搬送に用いるニップローラが切り替えられる。
【図面の簡単な説明】
【００３９】
【図１】画像読取装置の構成を示す斜視図である。
【図２】フイルムキャリアの外観斜視図である。
【図３】フイルムキャリアの内部を概略的に示す斜視図である。
【図４】フイルムキャリアの断面図であり、（Ａ）は１３５フイルムの搬送時、（Ｂ）はＡＰＳフイルムの搬送時の状態を表す。
【図５】搬送ローラ対の断面図であり、（Ａ）は図３のＡ−Ａ線に沿った断面図、（Ｂ）は図３のＢ−Ｂ線に沿った断面図である。
【図６】レンズ鏡筒とフイルム支持部材との位置関係を示す説明図である。
【図７】写真フイルムの種別に応じて、レンズユニットの合焦サーチ範囲を変化させる様子を示す説明図である。
【図８】写真フイルムの種別に応じてニップローラを切り替える機構を示す平面図であり、（Ａ）は１３５フイルムの搬送時、（Ｂ）はＡＰＳフイルムの搬送時の状態を表す。
【符号の説明】
【００４０】
１０  画像読取装置
１２  フイルムキャリア
２０  レンズ鏡筒
２１  ＣＣＤイメージセンサ
３２  １３５フイルム
３５  フイルム支持部材
３８  ＡＰＳフイルム
４１  第１搬送ローラ対
４２  第２搬送ローラ対
４５  第１支持部
４６  第２支持部
４７，４８  フイルムセンサ
４９  磁気読取装置
５０  第１カバー部材
５１  第２カバー部材
【図１】
2005115001.tif 000003
【図２】
2005115001.tif 000004
【図３】
2005115001.tif 000005
【図４】
2005115001.tif 000006
【図５】
2005115001.tif 000007
【図６】
2005115001.tif 000008
【図７】
2005115001.tif 000009
【図８】
2005115001.tif 000010